(57)【要約】【課題】沈潜時に姿勢の乱れがなく、また優れた魚礁効果を得ることができるようにする。【解決手段】各面が開放された中空立方体形状に形成した外枠１の内側に、平面形状を交差形状にした内枠２を、これの各端部を外枠の枠部材に一体結合して設けた構成になっている。【選択図】図６
2006340662.tif 000002
【特許請求の範囲】
【請求項１】
各面が開放された中空立方体形状に形成した外枠の内側に、平面形状を交差形状にした内枠を、これの各端部を外枠の枠部材に一体結合して設けたことを特徴とする人工魚礁ブロック。
【請求項２】
内枠の各端部が結合される外枠の各枠部材の内側をヒレ状に突出し、この突出端に内枠の各端部を一体結合したことを特徴とする請求項１記載の人工魚礁ブロック。
【請求項３】
内枠を、中間部に設けた切欠きを互いに嵌め合わせてなる２つの枠片にて構成し、各枠体の端部を外枠の枠部材に一体結合したことを特徴とする請求項１または請求項２記載の人工魚礁ブロック。
【請求項４】
内枠を、ヒレ状部を有する枠部材の長さ方向に離隔する少なくとも２つの交差部材にて構成し、各交差部材の端部を上記枠部材のヒレ状部に一体結合したことを特徴とする請求項１または請求項２記載の人工魚礁ブロック。
【発明の詳細な説明】
【技術分野】
【０００１】
本発明は、中空立方体形状で、水中に沈潜して用いる人工魚礁ブロックに関するものである。
【背景技術】
【０００２】
この種の人工魚礁ブロックとしては、図１７に示されたものがその一例として知られている。この構成のものは各面が開放された中空立方体形状になっており、一平面方向に対して直交する四隅の柱部材ａ，ｂ，ｃ，ｄのそれぞれの内側で、かつ対角線方向にヒレ部材ｅを突設し、この各ヒレ部材ｅの先端に所定の面積を有する平板部材ｆがヒレ部材ｅに対して直交する姿勢で結合した構成になっている。
【発明の開示】
【発明が解決しようとする課題】
【０００３】
上記した従来の人工魚礁ブロックにあっては、四隅の柱部材ａ，ｂ，ｃ，ｄの中心部にこれと直交する姿勢で平板部材ｆが配置されているため、たまたまこの平板部材ｆが水平となる姿勢で人工魚礁ブロックが水中に沈潜されると、この平板部材が水中で抵抗となり、人工魚礁ブロックが垂直姿勢で沈まず傾斜してしまうことがあり、目標地点へ正しい姿勢で沈潜することができないことがあった。
【０００４】
また、四隅の柱部材ａ，ｂ，ｃ，ｄの内側に設けられる平板部材ｆが四隅の柱部材と直交する姿勢で配置されていたため、この種の、すなわち中空立方体形状の人工魚礁ブロックの内側の構成が単純になり、魚類、甲殻類の蝟集、幼稚魚の保護、産卵場所の提供という人工魚礁効果を十分発揮することができなかった。
【０００５】
本発明は上記のことに鑑みなされたもので、沈潜時の抵抗が六面方向いずれの方向でももその姿勢に大差なく沈潜を行うことができると共に、魚類、甲殻類の蝟集、幼稚魚の保護等、魚礁ブロック本来の作用効果を得ることができるようにした人工魚礁ブロックを提供することを目的とするものである。
【課題を解決するための手段】
【０００６】
上記目的を達成するために、本発明に係る人工魚礁ブロックは、各面が開放された中空立方体形状に形成した外枠の内側に、平面形状を交差形状にした内枠を、これの各端部を外枠の枠部材に一体結合して設けた構成になっている。
【０００７】
そしてこの人工魚礁ブロックにおいて、内枠の各端部が結合される外枠の各枠部材の内側をヒレ状に突出し、この突出端に内枠の各端部を一体結合する。そしてこの内枠を、中間部に設けた切欠きを互いに嵌め合わせてなる２つの枠片にて構成し、各枠体の端部を外枠の枠部材に一体結合した構成にした。
【０００８】
また、上記内枠を、ヒレ状部を有する枠部材の長さ方向に離隔する少なくとも２つの交差部材にて構成し、各交差部材の端部を上記枠部材のヒレ状部に一体結合した。
【発明の効果】
【０００９】
本発明に係る人工魚礁ブロックによれば、外枠が各面が開放された中空立方体形状になっていることと、内枠が交差形状になっていることにより、ブロック内の透水性が六面方向いずれの方向でもよくなって、この人工魚礁ブロックの沈潜を、この沈潜姿勢が水中でずれることなく行うことができる。しかも水平、垂直の両方向の水流に対する刺激面を併せ有し、各方向からの潮流に対してブロック内で渦流を作ることができる。
【００１０】
交差形状の内枠により、魚類の習性に応じた餌料、よりどころ、産卵場等に対する本能を刺激することができると共に、小魚、幼稚魚の生息範囲を作りやすく、陰影効果、餌料材を収納する機能による餌料効果、渦流効果、逃避効果等を得ることができる。
【００１１】
また、乱積み状態で魚礁を造成する場合においても、魚種により、より高い蝟集効果を発揮することができる。
【００１２】
そして請求項２の構成のように、内枠の各端部を結合される外枠の枠部材の内側をヒレ状に突出し、これの先端に内枠を結合したことにより、この外枠内に流入した潮流はこのヒレ状部にて内枠の側面に向けて案内され、魚礁ブロック内における潮流の渦流作用を助長することができる。
【００１３】
さらに請求項３の構成のように、内枠を嵌め合わせ構成の２つの枠片にて構成したことにより、交差構成の内枠を中空立方体形状の外枠内への組み込みを容易に行うことができる。
【００１４】
一方、請求項４の構成のように、内枠をヒレ状部を有する枠部材の長さ方向に離隔する少なくとも２つの交差部材にて構成したことにより、内枠部において両交差部間にも空間ができ、この空間により小魚の逃避場所を提供でき、上記した魚礁としての効果をより大きくすることができる。
【発明を実施するための最良の形態】
【００１５】
本発明の最良の実施の形態を図１から図７に示した実施例１と、図８から図１１に示した実施例２と図１２から図１６に示した実施例３にて説明する。
【実施例１】
【００１６】
人工魚礁ブロックＡは各面が開放された中空立方体形状の外枠１と、この外枠１の内側に配置される内枠２とからなっている。
【００１７】
外枠１は、直交する垂直面とこれに直交する水平面の３方向の各断面形状内にそれぞれ４本ずつ有する枠部材３ａ，３ｂ，３ｃ，３ｄ，４ａ，４ｂ，４ｃ，４ｄ，５ａ，５ｂ，５ｃ，５ｄにて各辺の隅部を構成して各面が開放された中空立方体形状になっている。そして各枠部材３ａ〜３ｄ、４ａ〜４ｄ、５ａ〜５ｄの断面形状は、対角線方向内側へ向けて徐々に断面幅が狭くなるようにテーパー状になっている。また、各枠部材３ａ〜３ｄ、４ａ〜４ｄ、５ａ〜５ｄの中間及び各交点部外側に突起６が設けてある。
【００１８】
そして上記外枠１の内側で、かつ上記直交する一方の平面内における縦方向の４本の枠部材４ａ，４ｂ，４ｃ，４ｄに対向する内側に内枠２が、各端部を各枠部材４ａ，４ｂ，４ｃ，４ｄに一体結合して設けてある。
【００１９】
内枠２は平面形状が交差形状になっていて、交差する２つの枠片２ａ，２ｂの一方の枠片２ａの両端は、一方の対角線上に対向する枠部材４ａ，４ｃに、他方の枠片２ｂの両端は他方の対角線上に対向する枠部材４ｂ，４ｄにそれぞれ一体結合される。
【００２０】
上記外枠１は、これを形成する型枠を用いてコンクリートにて一体成形されている。このとき必要部分に鉄筋を入れる。そして内枠２はコンクリートにてこの外枠１とは別に作り、この内枠２を外枠１用の型枠内にセットし、その後、型枠内にコンクリートを打設することにより、内枠２を外枠１内に接合して内装する。この外枠１と内枠２との接合部は埋め込みにし、あるいは鉄筋を介在させて強固に接合されるようになっている。
【００２１】
内枠２の枠片２ａ，２ｂは板状になっていて、これが直交されている。この直交構造は特に問わないが、その一例として図７に示すようになる。
【００２２】
すなわち、双方の枠片２ａ，２ｂの中間部の一部に、それぞれの枠片２ａ，２ｂの幅の１／２の深さの切欠き７ａ，７ｂを設け、この両切欠き７ａ，７ｂを互いに嵌め合わせることにより直交状態に結合する。そして各枠片２ａ，２ｂの交差部の両側に窓穴８が設けてある。
【００２３】
この内枠２を構成する枠片２ａ，２ｂの窓穴８，８は、これを設けることにより人工魚礁ブロックＡを水中に沈潜するときの抵抗を少なくできると共に、水中での潮流に対する抵抗を少なくすることかができる。しかしながら、この枠片２ａ，２ｂの幅が狭い場合等、及びこの枠片２ａ，２ｂの側面にて受ける潮流の影響を考慮した場合、この窓穴８を設けなくてもよい。なお、この内枠２は外枠１と一体成形してもよいことはもちろんである。
【実施例２】
【００２４】
この実施例２での人工魚礁ブロックＡ′は、図８から図１１に示すようにたっていて、基本的には実施例１のものと同じであるが、外枠１′の縦方向の４本の枠部材４ａ′，４ｂ′，４ｃ′，４ｄ′の断面形状が対角線上の内側の向けてヒレ状に突出した形状になっており、このヒレ状部９の先端に内枠２′が一体状に接合されている。このヒレ状部の側面形状は先端が狭くなった台形になっていて、これの先端の幅は内枠２′の幅と同一になっている。
【００２５】
外枠１′を構成する他の枠部材３ａ′〜３ｄ′，５ａ′〜５ｄ′の断面形状は略四角状になっている。内枠２′の構成は実施例１のものと同一になっている。
【実施例３】
【００２６】
この実施例３は、図１２から図１６に示すようになっている。この実施例３における人工魚礁ブロックＡ″は、上記実施例２における人工魚礁ブロックＡ′の内枠２′の構成を変えたものである。
【００２７】
すなわちこの実施例３における内枠１０は、ヒレ状部９を有する枠部材４ａ′，４ｂ′，４ｃ′，４ｄ′の長さ方向（上下方向）に離隔する２つの交差部材１０ａ，１０ｂからなっていて、この両交差部材１０ａ，１０ｂは、ヒレ状部９を有する４本の枠部材４ａ′，４ｂ′，４ｃ′，４ｄ′の各ヒレ状部９の先端に一体状に接合されている。この内枠１０の交差部材１０ａ，１０ｂは、上記枠部材４ａ′，４ｂ′，４ｃ′，４ｄ′のヒレ状部９と共に外枠１′と一体成形されている。なお両交差部材１０ａ，１０ｂのそれぞれの交差部は、各交差部材１０ａ，１０ｂの強度を保持するためにボス状となって平面方向に若干大きくなっている。なお、上記交差部材１０ａ，１０ｂは２つ以上であってもよい。
【００２８】
上記のように構成された人工魚礁ブロックＡ，Ａ′，Ａ″は１個ずつ整然と、あるいは乱積み状態で水底に沈潜して積み重ねて用いられる。
【００２９】
この人工魚礁ブロックＡ，Ａ′，Ａ″の沈潜時においては、外枠１，１′が各面が開放された中空立方体状のなっており、及びこの外枠１，１′の内側に配置した内枠２，２′，２″の平面形状が交差形状になっていることにより、この人工魚礁ブロックの沈潜抵抗が、人工魚礁ブロックの沈潜姿勢に影響されることがなくなり、クレーンにて吊り下げた水面上での姿勢を保ったまま水底に沈潜される。
【００３０】
水中での魚礁ブロックを透過する潮流は、これの内側において内枠２，２′にて渦流となる。
【図面の簡単な説明】
【００３１】
【図１】本発明の実施例１における魚礁ブロックを示す平面図である。
【図２】本発明の実施例１における魚礁ブロックを示す正面図である。
【図３】図１のＸ−Ｘ断面矢視図である。
【図４】図２のＹ−Ｙ断面矢視図である。
【図５】図２のＺ−Ｚ断面矢視図である。
【図６】本発明の実施例１における魚礁ブロックを示す斜視図である。
【図７】内枠を示す分解斜視図である。
【図８】本発明の実施例２における魚礁ブロックを示す平面図である。
【図９】本発明の実施例２における魚礁ブロックを示す正面図である。
【図１０】図８のＸ′−Ｘ′断面矢視図である。
【図１１】図９のＹ′−Ｙ′断面矢視図である。
【図１２】本発明の実施例３における魚礁ブロックを示す平面図である。
【図１３】本発明の実施例３における魚礁ブロックを示す正面図である。
【図１４】図１２のＸ″−Ｘ″断面矢視図である。
【図１５】図１３のＹ″−Ｙ″断面矢視図である。
【図１６】本発明の実施例３における魚礁ブロックを示す斜視図である。
【図１７】従来の魚礁ブロックを示す斜視図である。
【符号の説明】
【００３２】
Ａ，Ａ′，Ａ″…人工魚礁ブロック、１，１′…外枠、２，２′，１０…内枠、２ａ，２ｂ…枠片、３ａ〜３ｄ，３ａ′〜３ｄ′，４ａ〜４ｄ，４ａ′〜４ｄ′，５ａ〜５ｄ，５ａ′〜５ｄ′…枠部材、６，６′…突起、７ａ〜７ｄ…切欠き、８…窓穴、９…ヒレ状部、１０ａ，１０ｂ…交差部材。
【図１】
2006340662.tif 000003
【図２】
2006340662.tif 000004
【図３】
2006340662.tif 000005
【図４】
2006340662.tif 000006
【図５】
2006340662.tif 000007
【図６】
2006340662.tif 000008
【図７】
2006340662.tif 000009
【図８】
2006340662.tif 000010
【図９】
2006340662.tif 000011
【図１０】
2006340662.tif 000012
【図１１】
2006340662.tif 000013
【図１２】
2006340662.tif 000014
【図１３】
2006340662.tif 000015
【図１４】
2006340662.tif 000016
【図１５】
2006340662.tif 000017
【図１６】
2006340662.tif 000018
【図１７】
2006340662.tif 000019
【手続補正書】
【提出日】平成17年7月22日(2005.7.22)
【手続補正１】
【補正対象書類名】特許請求の範囲
【補正対象項目名】全文
【補正方法】変更
【補正の内容】
【特許請求の範囲】
【請求項１】
各面が開放された中空立方体形状に形成した外枠の内側に、一方向に離隔した少なくとも２つの交差部材よりなる内枠を設け、この内枠の交差部材の各端部を外枠の枠部材の内側に突出したヒレ状部に一体結合したことを特徴とする人工魚礁ブロック。
【手続補正２】
【補正対象書類名】明細書
【補正対象項目名】全文
【補正方法】変更
【補正の内容】
【発明の詳細な説明】
【技術分野】
【０００１】
本発明は、中空立方体形状で、水中に沈潜して用いる人工魚礁ブロックに関するものである。
【背景技術】
【０００２】
この種の人工魚礁ブロックとしては、図６に示されたものがその一例として知られている。この構成のものは各面が開放された中空立方体形状になっており、一平面方向に対して直交する四隅の柱部材ａ，ｂ，ｃ，ｄのそれぞれの内側で、かつ対角線方向にヒレ部材ｅを突設し、この各ヒレ部材ｅの先端に所定の面積を有する平板部材ｆがヒレ部材ｅに対して直交する姿勢で結合した構成になっている。
【発明の開示】
【発明が解決しようとする課題】
【０００３】
上記した従来の人工魚礁ブロックにあっては、四隅の柱部材ａ，ｂ，ｃ，ｄの中心部にこれと直交する姿勢で平板部材ｆが配置されているため、たまたまこの平板部材ｆが水平となる姿勢で人工魚礁ブロックが水中に沈潜されると、この平板部材が水中で抵抗となり、人工魚礁ブロックが垂直姿勢で沈まず傾斜してしまうことがあり、目標地点へ正しい姿勢で沈潜することができないことがあった。
【０００４】
また、四隅の柱部材ａ，ｂ，ｃ，ｄの内側に設けられる１枚の平板部材ｆが四隅の柱部材と直交する姿勢で配置されていたため、この種の、すなわち中空立方体形状の人工魚礁ブロックの内側の構成が単純になり、魚類、甲殻類の蝟集、幼稚魚の保護、産卵場所の提供という人工魚礁効果を十分発揮することができなかった。
【０００５】
本発明は上記のことに鑑みなされたもので、沈潜時の抵抗が六面方向いずれの方向でももその姿勢に大差なく沈潜を行うことができると共に、魚類、甲殻類の蝟集、幼稚魚の保護等、魚礁ブロック本来の作用効果を得ることができるようにした人工魚礁ブロックを提供することを目的とするものである。
【課題を解決するための手段】
【０００６】
上記目的を達成するために、本発明に係る人工魚礁ブロックは、各面が開放された中空立方体形状に形成した外枠の内側に、一方向に離隔した少なくとも２つの交差部材よりなる内枠を設け、この内枠の交差部材の各端部を外枠の枠部材の内側に突出したヒレ状部に一体結合した構成になっている。
【発明の効果】
【０００７】
本発明に係る人工魚礁ブロックによれば、外枠が、これの各面が開放された中空立方体形状になっていることと、これの内側に設けられる内枠が、一方向に離隔した少なくとも２つの交差部材にて構成されており、さらにこの内枠の交差部材の各端部が外枠の枠部材の内側に突出したヒレ状部に一体結合されていることにより、ブロック内の透水性が六面方向いずれの方向でもよくなって、この人工魚礁ブロックの沈潜を、この沈潜姿勢が水中でずれることなく行うことができる。しかも水平、垂直の両方向の水流に対する刺激面を併せ有し、各方向からの潮流に対してブロック内で渦流を作ることができる。
【０００８】
そして、交差形状の内枠により、魚類の習性に応じた餌料、よりどころ、産卵場等に対する本能を刺激することができると共に、小魚、幼稚魚の生息範囲を作りやすく、陰影効果、餌料材を収納する機能による餌料効果、渦流効果、逃避効果等を得ることができる。
【０００９】
また、乱積み状態で魚礁を造成する場合においても、魚種により、より高い蝟集効果を発揮することができる。
【００１０】
そしてさらに、上記したように、内枠が一方向に離隔した少なくとも２つの交差部材にて構成されていることにより、内枠部において各交差部間にも空間ができ、この空間により小魚の逃避場所を提供でき、上記した魚礁としての効果をより大きくすることができる。
【発明を実施するための最良の形態】
【００１１】
本発明の最良の実施の形態を図１から図５に示した実施例にて説明する。
【実施例】
【００１２】
人工魚礁ブロックＡは各面が開放された中空立方体形状の外枠１と、この外枠１の内側に配置される内枠１０とからなっている。
【００１３】
外枠１は、直交する垂直面とこれに直交する水平面の３方向の各断面形状内にそれぞれ４本ずつ有する枠部材３ａ，３ｂ，３ｃ，３ｄ，４ａ，４ｂ，４ｃ，４ｄ，５ａ，５ｂ，５ｃ，５ｄにて各辺の隅部を構成して各面が開放された中空立方体形状になっている。そして各枠部材３ａ〜３ｄ、４ａ〜４ｄ、５ａ〜５ｄの中間及び各交点部外側に突起６が設けてある。
【００１４】
上記外枠１の内側で、かつ上記直交する一方の平面内における縦方向の４本の枠部材４ａ，４ｂ，４ｃ，４ｄに対向する内側に上記内枠１０が、各端部を各枠部材４ａ，４ｂ，４ｃ，４ｄに一体結合して設けてある。
【００１５】
内枠１０は平面形状が交差形状になっている。そしてこの内枠１０は、ヒレ状部９を内側へ突出した枠部材４ａ，４ｂ，４ｃ，４ｄの長さ方向（上下方向）に離隔する２つの交差部材１０ａ，１０ｂからなっていて、この両交差部材１０ａ，１０ｂは、各枠部材４ａ，４ｂ，４ｃ，４ｄの各ヒレ状部９の先端に一体状に接合されている。この内枠１０の交差部材１０ａ，１０ｂは、上記枠部材４ａ，４ｂ，４ｃ，４ｄのヒレ状部９と共に外枠１と一体成形されている。なお両交差部材１０ａ，１０ｂのそれぞれの交差部は、各交差部材１０ａ，１０ｂの強度を保持するためにボス状となって平面方向に若干大きくなっている。なお、上記交差部材１０ａ，１０ｂは２つ以上であってもよい。
【００１６】
上記のように構成された人工魚礁ブロックＡは１個ずつ整然と、あるいは乱積み状態で水底に沈潜して積み重ねて用いられる。
【００１７】
この人工魚礁ブロックＡの沈潜時においては、外枠１がこれの各面が開放された中空立方体状のなっており、及びこの外枠１の内側に配置した内枠１０の平面形状が交差形状になっていることにより、この人工魚礁ブロックの沈潜抵抗が、人工魚礁ブロックの沈潜姿勢に影響されることがなくなり、クレーンにて吊り下げた水面上での姿勢を保ったまま水底に沈潜される。
【００１８】
水中での魚礁ブロックＡを透過する潮流は、これの内側において内枠１０にて渦流となる。
【図面の簡単な説明】
【００１９】
【図１】本発明の実施例における魚礁ブロックを示す平面図である。
【図２】本発明の実施例における魚礁ブロックを示す正面図である。
【図３】図１のＸ−Ｘ断面矢視図である。
【図４】図２のＹ−Ｙ断面矢視図である。
【図５】本発明の実施例における魚礁ブロックを示す斜視図である。
【図６】従来の魚礁ブロックを示す斜視図である。
【符号の説明】
【００２０】
Ａ…人工魚礁ブロック、１…外枠、２ａ，２ｂ…枠片、３ａ〜３ｄ，４ａ〜４ｄ，５ａ〜５ｄ…枠部材、６…突起、９…ヒレ状部、１０…内枠、１０ａ，１０ｂ…交差部材。
【手続補正３】
【補正対象書類名】図面
【補正対象項目名】全図
【補正方法】変更
【補正の内容】
【図１】
2006340662.tif 000020
【図２】
2006340662.tif 000021
【図３】
2006340662.tif 000022
【図４】
2006340662.tif 000023
【図５】
2006340662.tif 000024
【図６】
2006340662.tif 000025